(57)【要約】      （修正有）【課題】電磁調理器の表面が使用時に損傷するおそれ、及び鍋の摺動による予想外の事故の発生を回避することができる電磁調理器防護パッドを提供する。【解決手段】電磁調理器の表面周縁に組み付けられたパッド体２１を含み、パッド体が、柔らかくかつ強靭な材質からなり、調理器表面に平らに密着された貼着部２２と、貼着部の一側から下方に延在しかつ該調理器表面の側縁に当接するエッジフレーム部２３とを有する。貼着部は、枠状となっており、内部に鍋を収容するための収容部２４が形成されている。さらに、貼着部の内周には、鍋が摺動し調理器表面から離脱することを回避する止め条２６が設けられている。【選択図】図１
0003192342.tif 000002
【実用新案登録請求の範囲】
【請求項１】
電磁調理器に適用される電磁調理器防護パッドであって、
電磁調理器の表面周縁に組み付けられたパッド体を含み、前記パッド体は、柔らかくかつ強靭な材質からなり、前記調理器表面に平らに密着された貼着部と、前記貼着部の一側から下方に延在しかつ前記調理器表面の側縁に当接するエッジフレーム部とを有し、前記貼着部は、枠状となっており、内部に鍋を収容するための収容部が形成されていることを特徴とする電磁調理器防護パッド。
【請求項２】
前記パッド体は、前記調理器表面底部に係合される係合部をさらに有し、前記係合部の一側は、前記エッジフレーム部に接続されていることを特徴とする請求項１に記載の電磁調理器防護パッド。
【請求項３】
前記貼着部の表面には止め条が設けられていることを特徴とする請求項１に記載の電磁調理器防護パッド。
【請求項４】
前記止め条は、前記貼着部の内周に分布されていることを特徴とする請求項３に記載の電磁調理器防護パッド。
【請求項５】
前記係合部は、前記エッジフレーム部から一体に延出していることを特徴とする請求項２に記載の電磁調理器防護パッド。
【考案の詳細な説明】
【技術分野】
【０００１】
本考案は、電磁調理器防護パッドに関し、特に安全保護のために電磁調理器の表面周縁に組み付けられた防護パッド構造に関するものである。
【背景技術】
【０００２】
従来の民生用家電において、電磁調理器は、火をつけることなく、無火式の伝導加熱により、鍋の底部自体に熱が誘導され発熱することで高熱効率の省エネルギーキッチン用具を達成することができる。クッキング過程において、周りの空気の過熱によって厨房またはその他の空間が温度上昇することはなく、時間節約の実質的な機能を奏することができる。
【０００３】
金属の鍋と接触する際に、磁気伝導性が鍋の底部を発熱させる実質的な効果を図るために、電磁調理器の核心全体構造は、特に調理器表面の設計に工夫を凝らしている。従って、調理器表面には、十分な平滑化、均一かつよい光沢性が要求される。しかしながら、平滑な調理器表面のために、かえって鍋は、調理器表面に接触しまたは移動する間にシフト摺動しやすくなり、さらには脱落し、予想外な事故になるおそれがある。
【０００４】
さらに、電磁調理器の表面周縁が露出しているため、ユーザは、鍋を把持または操作する使用において、摩擦または不意にぶつかる事故があり、電磁調理器の表面周縁に損傷または破裂が発生しやすくなることがある。また、ユーザは、操作時に調理器表面周縁の尖鋭端によって傷つくこともある。
【考案の概要】
【考案が解決しようとする課題】
【０００５】
本考案は、主に電磁調理器の防護パッドであって、該防護パッドが電磁調理器の表面の周縁全体を被覆することにより、調理器表面が衝突によって損傷または破裂することを回避するとともに、鍋が電磁調理器の表面に載置される場合にシフト摺動することを回避することができる電磁調理器の防護パッドを提供することを目的とする。
【課題を解決するための手段】
【０００６】
本考案に係る電磁調理器の防護パッドは、電磁調理器の表面周縁に組み付けられたパッド体を含み、該パッド体が、柔らかくかつ強靭な材質からなり、調理器表面に平らに密着された貼着部と、該貼着部の一側から下方に延在しかつ該調理器表面の側縁に当接するエッジフレーム部とを有する。該貼着部は、枠状となっており、内部に鍋を収容するための収容部が形成されている。さらに、該貼着部の内周には、鍋が摺動し調理器表面から離脱することを回避する止め条が設けられている。
【考案の効果】
【０００７】
本考案に係る電磁調理器の防護パッドによれば、電磁調理器の表面が使用上の衝突によって損傷または破裂することを回避するとともに、鍋の使用上の摺動による事故の発生を回避することができる。
【図面の簡単な説明】
【０００８】
【図１】本考案に係る電磁調理器の防護パッドの立体模式図である。
【図２】本考案に係る電磁調理器の防護パッドが電磁調理器に適用される模式図である。
【図３】本考案に係る電磁調理器の防護パッドが電磁調理器に適用される断面図である。
【図４】図３の局所拡大図である。
【図５】本考案に係る電磁調理器の防護パッドが電磁調理器及び鍋に適用される模式図である。
【図６】図５の断面図である。
【図７】図６の局所拡大図である。
【考案を実施するための形態】
【０００９】
図１〜４に示すように、本考案に係る電磁調理器防護パッド２は、電磁調理器１の表面１１の周縁１２に組み付けられることで、電磁調理器１の表面１１を保護し、滑り止め効果を有する。
【００１０】
電磁調理器防護パッド２は、電磁調理器１の表面１１の周縁１２に組み付け可能であり、高温を遮断する柔らかくかつ強靭な材質（例えば耐高温のシリカゲル）からなるパッド体２１を含み、該パッド体２１は、表面１１に平らに密着される貼着部２２と、該貼着部２２の一側から下方に延在しかつ該調理器表面周縁１２に当接するエッジフレーム部２３とを有する。貼着部２２は、枠状となっており、内部に鍋３を収容するための収容部２４が形成されている。パッド体２１は、調理器表面底部１３に係合される係合部２５をさらに有する。係合部２５の一側は、エッジフレーム部２３に接続されることで、パッド体２１の断面は、コ形となっている。この実施例において、係合部２５は、エッジフレーム部２３から一体に延出している。
【００１１】
パッド体２１の表面は、材質の特性により滑り止め効果を有し、その形状は、一般の電磁調理器１の表面周縁１２に応じて枠縁状の被覆体が形成されることで、パッド体２１は、電磁調理器１の表面１１全体の周縁１２を十分に被覆することができ、電磁調理器１の表面１１または表面周縁１２が衝突によって損傷しまたは破裂することを効果的に回避するという安全保護効果を奏することができるとともに、ユーザが操作時に表面周縁１２の尖鋭端によって傷つくことを回避することもできる。
【００１２】
図５〜７に示すように、パッド体２１の表面には複数の止め条２６が設けられている。止め条２６は、貼着部２２の表面に設けられ、貼着部２２の内周に分布されている。電磁調理器１の表面１１が金属の鍋３の底部３１に接触する場合、止め条２６は、金属の鍋３の移動脱落に対する規制効果を強化することができる。
【００１３】
本考案に係る電磁調理器防護パッド２は、電磁調理器１の表面周縁１２に組み付けられた後、鍋３の底部３１は、防護パッド２が調理器表面周縁１２を被覆する防護範囲内に制限されているため、電磁調理器１の表面１１と安定的に接触することができ、電磁加熱を行うことができるため、電磁調理器１の表面１１の平滑均一によってシフト摺動しまたは表面１１から離脱することはない。たとえクッキングの際においても、鍋３が防護パッド２上の止め条２６によって位置制限されているため、容易に滑り落ちることによって予想外な事故が発生することはない。
【００１４】
上記のように、これらの実施の形態は本考案の好ましい実施例のみであり、本考案の特許請求の範囲に基づいてなされる等価の変更や修飾は、本考案の技術範囲に入るものである。
【００１５】
以上のように、本考案では、電磁調理器に適用される電磁調理器防護パッドであって、電磁調理器の表面周縁に組み付けられたパッド体を含み、前記パッド体は、柔らかくかつ強靭な材質からなり、調理器表面に平らに密着された貼着部と、前記貼着部の一側から下方に延在しかつ前記調理器表面の側縁に当接するエッジフレーム部とを有し、前記貼着部は、枠状となっており、内部に鍋を収容するための収容部が形成されていることを特徴とする電磁調理器防護パッドとするものである。
【００１６】
また、前記パッド体は、前記調理器表面底部に係合される係合部をさらに有し、前記係合部の一側は、前記エッジフレーム部に接続されているものとする。
【００１７】
また、前記貼着部の表面には止め条が設けられているものとする。
【００１８】
また、前記止め条は、前記貼着部の内周に分布されているものとする。
【００１９】
また、前記係合部は、前記エッジフレーム部から一体に延出しているものとする。
【産業上の利用可能性】
【００２０】
本考案に係る電磁調理器の防護パッドによれば、電磁調理器の表面が使用上の衝突によって損傷または破裂することを回避するとともに、鍋の使用上の摺動による事故の発生を回避することができる。
【符号の説明】
【００２１】
１  電磁調理器
１１  調理器表面
１２  表面周縁
１３  調理器表面底部
２  防護パッド
２１  パッド体
２２  貼着部
２３  エッジフレーム部
２４  収容部
２５  係合部
２６  止め条
３  鍋
３１  底部
【図１】
0003192342.tif 000003
【図２】
0003192342.tif 000004
【図３】
0003192342.tif 000005
【図４】
0003192342.tif 000006
【図５】
0003192342.tif 000007
【図６】
0003192342.tif 000008
【図７】
0003192342.tif 000009